(57)【特許請求の範囲】
【請求項１】
アドレス情報が含まれる情報コードを生成可能なコード生成装置と、
前記情報コードを読み取り可能な読取装置と、
を備えるコード提供システムであって、
前記コード生成装置は、
配布予定者を特定する特定用アドレス情報が予め記憶される記憶手段と、
情報コードを生成するためアドレス情報を含めたコード化に関する情報が入力されると、入力されたアドレス情報を示す文字列の一部が前記記憶手段に記憶される前記特定用アドレス情報を示す文字列に一致するか否かについて判定する第１判定手段と、
前記第１判定手段により前記入力されたアドレス情報を示す文字列の一部が前記特定用アドレス情報を示す文字列に一致すると判定された前記コード化に関する情報に対して所定の規定に基づく認証情報が付加されて情報コードを生成する生成手段と、
を備え、
前記読取装置は、
前記情報コードを読み取る読取手段と、
前記読取手段により前記アドレス情報が含まれる情報コードが読み取られると当該情報コードに含まれる認証情報が前記所定の規定に基づいて有効であるか否かについて判定する第２判定手段と、
前記第２判定手段により前記認証情報が有効であると判定された前記情報コードの前記アドレス情報を用いた処理を実行する実行手段と、
を備えることを特徴とするコード提供システム。
【請求項２】
前記第１判定手段により前記入力されたアドレス情報を示す文字列の一部が前記特定用アドレス情報を示す文字列に一致すると判断されない場合には、前記生成手段による情報コードの生成が禁止されることを特徴とする請求項１に記載のコード提供システム。
【請求項３】
前記第２判定手段により前記情報コードの前記認証情報が有効でないと判定される場合には、前記実行手段による前記アドレス情報を用いた処理の実行が禁止されることを特徴とする請求項１または２に記載のコード提供システム。
【請求項４】
前記読取装置は、前記第２判定手段により前記情報コードの前記認証情報が有効でないと判定される場合にその旨を警告する警告手段を備えることを特徴とする請求項１〜３のいずれか一項に記載のコード提供システム。
【発明の詳細な説明】
【技術分野】
【０００１】
本発明は、アドレス情報が含まれる情報コードを提供するコード提供システムに関するものである。
【背景技術】
【０００２】
従来、アドレス情報が含まれる情報コードを提供するコード提供システムに関する技術として、下記特許文献１に示す広告サービス装置が知られている。この広告サービス装置では、広告主のインターネット上におけるアドレス情報やこれを指定するためのインデックス情報をエンコーディングしたコードイメージが、広告のために各種の商品や景品、広告等に付加または印刷して提供される。そして、消費者が上述のように提供されたコードイメージを光学装置の使用により獲得すると、コードイメージのコード情報がデコーディングされて抽出されこのコード情報に含まれたアドレス情報またはインデックス情報が取得される。アドレス情報が取得された場合には、このアドレス情報を用いた処理を実施することにより、消費者は、広告主が提供するサービスの利用が可能となる。また、インデックス情報が取得された場合には、インターネット上の所定のサーバコンピュータに接続して当該インデックス情報に応じたアドレス情報を取得してこのアドレス情報等を用いた処理を実施することにより、消費者は、広告主が提供するサービスの利用が可能となる。
【０００３】
また、下記特許文献２に示すトレーサビリティ装置では、この装置を使用する生産者により、食品に関する生産段階での情報が、認証情報を付与したトレーサビリティ情報としてコード化されて当該食品に表示される。そして、この食品を加工する加工業者や流通させる流通業者が当該装置を利用することで、上記認証情報が付与されたトレーサビリティ情報に対して加工段階での情報や流通段階での情報が追加されるようにコード化されて表示される。そして、消費者が、予め認証データアルゴリズムが付与された携帯電話等を用いて上述のようにコード化されたトレーサビリティ情報を読み取ることで、インターネット接続等を行なうことなくトレーサビリティ情報の参照が可能となる。
【先行技術文献】
【特許文献】
【０００４】
【特許文献１】特開２００１−２７３４４１号公報
【特許文献２】特開２００５−２６７１５３号公報
【発明の概要】
【発明が解決しようとする課題】
【０００５】
ところで、上記特許文献１に記載の広告サービス装置等のように、アドレス情報を単に情報コードに含ませる方法では、情報コードの偽造による有害サイトへのアクセス等、情報コードの不正使用が問題となる。また、インデックス情報等をキー値としてインターネット上のデータベースを参照することでアドレス情報を取得する方法では、データベースとの比較による認証が可能であり、情報コードの不正使用が抑制される。しかしながら、このようなアドレス情報の取得方法では、情報コード生成に関する自由度が制限されるだけでなくデータベース参照時にインターネットを介した通信等が必要となり、利便性が損なわれるという問題がある。また、上記特許文献２に記載のトレーサビリティ装置等のように、情報コード自体のセキュリティ性等が強化される場合でも、この情報コードを生成するコード生成装置が不正使用されてしまうと、情報コードの不正使用を防止することが困難になる。
【０００６】
本発明は、上述した課題を解決するためになされたものであり、その目的とするところは、利便性を損なうことなく信頼性を高めた情報コードを提供し得るコード提供システムを提供することにある。
【課題を解決するための手段】
【０００７】
上記目的を達成するため、特許請求の範囲に記載の請求項１のコード提供システムでは、アドレス情報が含まれる情報コードを生成可能なコード生成装置と、前記情報コードを読み取り可能な読取装置と、を備えるコード提供システムであって、前記コード生成装置は、配布予定者を特定する特定用アドレス情報が予め記憶される記憶手段と、情報コードを生成するためアドレス情報を含めたコード化に関する情報が入力されると、入力されたアドレス情報を示す文字列の一部が前記記憶手段に記憶される前記特定用アドレス情報を示す文字列に一致するか否かについて判定する第１判定手段と、前記第１判定手段により前記入力されたアドレス情報を示す文字列の一部が前記特定用アドレス情報を示す文字列に一致すると判定された前記コード化に関する情報に対して所定の規定に基づく認証情報が付加されて情報コードを生成する生成手段と、を備え、前記読取装置は、前記情報コードを読み取る読取手段と、前記読取手段により前記アドレス情報が含まれる情報コードが読み取られると当該情報コードに含まれる認証情報が前記所定の規定に基づいて有効であるか否かについて判定する第２判定手段と、前記第２判定手段により前記認証情報が有効であると判定された前記情報コードの前記アドレス情報を用いた処理を実行する実行手段と、を備えることを特徴とする。
【０００８】
請求項２の発明は、請求項１に記載のコード提供システムにおいて、前記第１判定手段により前記入力されたアドレス情報を示す文字列の一部が前記特定用アドレス情報を示す文字列に一致すると判断されない場合には、前記生成手段による情報コードの生成が禁止されることを特徴とする。
【０００９】
請求項３の発明は、請求項１または２に記載のコード提供システムにおいて、前記第２判定手段により前記情報コードの前記認証情報が有効でないと判定される場合には、前記実行手段による前記アドレス情報を用いた処理の実行が禁止されることを特徴とする。
【００１０】
請求項４の発明は、請求項１〜３のいずれか一項に記載のコード提供システムにおいて、前記読取装置は、前記第２判定手段により前記情報コードの前記認証情報が有効でないと判定される場合にその旨を警告する警告手段を備えることを特徴とする。
【発明の効果】
【００１１】
請求項１の発明では、コード生成装置により、記憶手段に記憶される特定用アドレス情報に基づいて、入力されたアドレス情報を示す文字列の一部が記憶手段に記憶される特定用アドレス情報を示す文字列に一致すると第１判定手段により判定される場合に、生成手段により、入力されたコード化に関する情報に対して所定の規定に基づく認証情報が付加されて情報コードが生成される。そして、読取装置において、読取手段によりアドレス情報が含まれる情報コードが読み取られると当該情報コードに含まれる認証情報が上記所定の規定に基づいて第２判定手段により有効であると判定される場合に、この情報コードのアドレス情報を用いた処理が実行手段により実行される。
【００１２】
これにより、入力されたアドレス情報を示す文字列の一部が特定用アドレス情報を示す文字列に一致すると判断される場合、例えば、アドレス情報の一部が配布予定者の名称または略称におけるアルファベット表記の一部に一致するなどの場合のみ情報コードが生成される。このため、アドレス情報の所有者と配布予定者との一致を主な目的とするセキュリティ性等が強化された情報コードの生成と比較して、情報コード自体に必要となる制約等が削減されるので、情報コード生成に関する自由度を高めることができる。そして、情報コードの認証情報が有効である場合には、上述のように生成された情報コードに含まれるアドレス情報を用いた処理、例えば、当該アドレス情報により指定されるインターネット等の通信網上のサイトに接続する処理等が実行されるので、通信網上の所定のデータベース等を参照することなく、情報コードの不正使用を防止することができる。
したがって、利便性を損なうことなく信頼性を高めた情報コードを提供することができる。
【００１３】
請求項２の発明では、第１判定手段により入力されたアドレス情報を示す文字列の一部が特定用アドレス情報を示す文字列に一致すると判断されない場合には、生成手段によるアドレス情報を含む情報コードの生成が禁止される。これにより、例えばＡ社による配布が予定される広告等に表示される情報コードを生成する場合、配布予定者であるＡ社が想定されないアドレス情報を含むように情報コードを生成することができないので、不正使用者が当該装置を用いて不正目的のアドレス情報が含まれる情報コードを生成することを防止できる。なお、アドレス情報の所有者と配布予定者とが一致すると判断されない場合であっても、アドレス情報を含まない情報コードであれば生成するようにしてもよい。
【００１４】
請求項３の発明では、第２判定手段により情報コードの認証情報が有効でないと判定される場合には、実行手段による当該アドレス情報を用いた処理の実行が禁止されるので、情報コードの不正使用を確実に防止することができる。
【００１５】
請求項４の発明では、第２判定手段により情報コードの認証情報が有効でないと判定される場合には、警告手段により、その旨が警告されるので、読取装置を使用する使用者（消費者）は読み取った情報コードが不正使用目的のアドレス情報を含むように生成された可能性が高いことを認識することができる。
【図面の簡単な説明】
【００１６】
【図１】本実施形態に係るコード提供システムの概略構成を示す説明図である。
【図２】コード生成装置の制御部にて実施されるコード生成処理の流れを例示するフローチャートである。
【図３】読取装置の制御部にて実施される読取処理の流れを例示するフローチャートである。
【発明を実施するための形態】
【００１７】
以下、本発明のコード提供システムを具現化した一実施形態について図を参照して説明する。
図１に示すように、コード提供システム１０は、主に、コード生成装置２０と、このコード生成装置２０により生成された二次元コード等の情報コード４１を読み取り可能な読取装置３０とにより構成される。なお、図１では、コード生成装置２０および読取装置３０を概略的な電気ブロック図により例示している。
【００１８】
コード生成装置２０は、アドレス情報等を含む情報コードを管理するコード管理会社Ｃｍにより所有・管理されるもので、消費者にサービスを提供するサービス提供会社Ｃｓからコード利用依頼があった場合に当該サービス提供会社Ｃｓに対して貸与されるものである。サービス提供会社Ｃｓは、貸与されたコード生成装置２０を使用して、自社が管理するアドレス情報を含む情報コード４１を認証情報が付加するように生成し、この情報コード４１を広告４０に表示して消費者に配布する。これにより、この情報コード４１に含まれるアドレス情報を用いた処理を実行する消費者、例えば、アドレス情報に対応するインターネット等の通信網上のサイトに接続する消費者に対してサービス提供会社Ｃｓによるサービスが提供されることとなる。なお、本実施形態では、アドレス情報とは、ドメイン（”http://”、”/”、”.”等からなる文字列）やＩＰアドレス等を含む情報と定義する。
【００１９】
次に、コード生成装置２０の概略構成について説明すると、このコード生成装置２０は、図１に示すように、主に、後述するコード生成処理を実行可能な制御部２１と、この制御部２１により制御されて外部の機器等と通信可能な通信部２２と、を備えている。制御部２１は、例えば、マイコンやメモリ（ＲＯＭ、ＲＡＭ、ＥＥＰＲＯＭ等）等から構成されており、通信部２２を介して入力されるアドレス情報等のコード化に関する情報に応じた情報コード４１を生成し通信部２２を介して出力するコード生成処理を所定のコンピュータプログラムにより実行する機能を有するものである。
【００２０】
また、読取装置３０の概略構成について説明すると、この読取装置３０は、撮像機能および通信機能を有する携帯電話等の携帯端末であって、サービス提供会社Ｃｓが配布する広告４０を見る消費者により所持されるものである。当該読取装置３０は、図１に示すように、主に、撮像部３１、通信部３２、操作部３３、表示部３４および制御部３５を備えている。撮像部３１は、撮像した情報コード４１等を画像データとして制御部３５に出力する機能を有するものである。通信部３２は、制御部３５により制御されて、外部の機器と通信する機能を有するものである。操作部３３は、複数のキー等から構成されており、制御部３５に対してキー操作に応じた情報を入力する機能を有するものである。表示部３４は、液晶等から構成されており、制御部３５により制御されて所定の情報を表示する機能を有するものである。制御部３５は、例えば、マイコンやメモリ（ＲＯＭ、ＲＡＭ、ＥＥＰＲＯＭ等）等から構成されており、撮像部３１や通信部３２、操作部３３等を介して入力される情報に応じて後述する読取処理を所定のコンピュータプログラムにより実行する機能を有するものである。
【００２１】
続いて、コード生成装置２０の制御部２１にて実施されるコード生成処理について、図２のフローチャートを用いて説明する。なお、制御部２１のメモリ等には、コード管理会社Ｃｍが管理して登録されている複数のアドレス情報（以下、登録済アドレス情報ともいう）とそのアドレス情報を所有・管理等する所有者の名称・略称等（以下、所有者情報ともいう）とがそれぞれ予め記憶されている。また、コード生成装置２０がコード管理会社Ｃｍからサービス提供会社Ｃｓに対して貸与される際に、貸与先であるサービス提供会社Ｃｓに関する社名や略称等の配布予定者を特定するための情報（以下、配布予定者情報ともいう）が制御部２１のメモリ等に予め記憶されるものとする。
【００２２】
まず、コード生成装置２０の貸与を受けたサービス提供会社Ｃｓの担当者により、広告４０に表示するためのアドレス情報等のコード化に関する情報が通信部２２を介して制御部２１に入力されると、図２のステップＳ１０１にてＹｅｓと判定される。なお、コード化に関する情報は、通信部２２を介して入力されることに限らず、例えば、図略のキー操作部等の操作に応じて入力されてもよい。
【００２３】
次に、ステップＳ１０３にて探索処理がなされ、メモリ等に記憶された複数の登録済アドレス情報のうち、予め記憶された上記配布予定者情報から特定される配布予定者に対して、この配布予定者に関連する所有者が特定される所有者情報の登録済アドレス情報が探索される。具体的には、例えば、Ｂ社がコード生成装置２０を貸与されており配布予定者である場合に、Ｂ社またはＢ社の関連会社等の登録済アドレス情報が探索されることとなる。
【００２４】
そして、ステップＳ１０５における比較処理により、上述のように探索された各登録済アドレス情報のいずれかと入力されたアドレス情報（以下、入力アドレス情報ともいう）とが比較される。この比較結果により、入力アドレス情報に対して関連性が高い登録済アドレス情報が探索されることから入力アドレス情報から想定される当該入力アドレス情報の所有者とこの情報コードの配布予定者とが一致すると判断される場合には、ステップＳ１０７にてＹｅｓと判定される。ここで、入力アドレス情報の所有者と配布予定者とが一致すると判断される場合とは、例えば、入力アドレス情報の一部が配布予定者の名称または略称におけるアルファベット表記の一部に一致する場合や、両アドレス情報のドメインが一致する場合が想定される。
【００２５】
一方、入力アドレス情報に対して関連性が高い登録済アドレス情報が探索されず入力アドレス情報の所有者と配布予定者とが一致すると判断されない場合には、ステップＳ１０７にてＮｏと判定される。そして、ステップＳ１０９にてアドレス情報削除処理がなされ、ステップＳ１０７にて比較された入力アドレス情報が削除される。このように、入力アドレス情報の所有者と配布予定者とが一致すると判断されない場合には、入力アドレス情報を含む情報コードの生成が禁止されることとなる。
【００２６】
そして、ステップＳ１０７にてＹｅｓと判定されるか、ステップＳ１０９の処理がなされると、ステップＳ１１１にて全ての入力アドレス情報に対して比較処理がなされたか否かについて判定される。ここで、入力アドレス情報が複数あり全ての入力アドレス情報に対して上記比較処理がなされていなければ、ステップＳ１１１にてＮｏと判定されて、上記ステップＳ１０５からの処理がなされる。
【００２７】
そして、全ての入力アドレス情報に対して比較処理がなされると、ステップＳ１１１にてＹｅｓと判定されて、ステップＳ１１３にて認証情報付加処理がなされ、削除された入力アドレス情報を除くコード化に関する情報に対して所定の規定に基づく認証情報が付加される。続いて、ステップＳ１１５にて情報コード４１が生成されて、ステップＳ１１７にてこの生成された情報コード４１に関する情報が通信部２２を介して出力される。
【００２８】
これにより、外部の広告印刷機が上述のように生成された情報コード４１に関する情報を取得すると、この広告印刷機により情報コード４１を表示した広告４０が印刷される。このように印刷された広告４０は、サービス提供会社Ｃｓまたはその関連会社等により消費者に対して配布されることとなる。なお、本実施形態では、生成された情報コード４１は、関連情報が外部の広告印刷機に出力されることで広告４０に印刷されるが、これに限らず、コード生成装置２０に印刷機能を持たせることで、当該コード生成装置２０により広告４０に貼付等するための情報コード４１または広告４０そのものを印刷するようにしてもよい。
【００２９】
次に、読取装置３０の制御部３５にて実施される読取処理について、図３のフローチャートを用いて説明する。
まず、広告４０を見た消費者（以下、端末使用者ともいう）が所持する読取装置３０により、この広告４０に表示された情報コード４１を読み取るための読取操作が操作部３３に対してなされると、図３のステップＳ２０１にてＹｅｓと判定される。
【００３０】
続いて、ステップＳ２０３にて画像取得処理がなされて、撮像部３１により情報コード４１を含めた画像が撮像され、この撮像により得られた画像データが制御部３５に入力される。そして、ステップＳ２０５にてデコード処理がなされ、画像データに含まれる情報コード４１が公知のデコード方法に基づいてデコードされる。
【００３１】
次に、ステップＳ２０７にてデコード結果に１または複数のアドレス情報が含まれるか否かについて判定され、アドレス情報が含まれていなければ（Ｓ２０７でＮｏ）、ステップＳ２０９にて表示処理がなされ、デコード結果に応じた情報が表示部３４に表示される処理がなされる。
【００３２】
一方、デコード結果に１または複数のアドレス情報が含まれる場合には（Ｓ２０７でＹｅｓ）、ステップＳ２１１にてデコード結果に含まれる認証情報が有効であるか否かについて判定される。ここで、デコード結果に含まれる認証情報が上記ステップＳ１１３により付加された所定の認証情報に一致することから当該認証情報が有効であると判断される場合には（Ｓ２１１でＹｅｓ）、信頼性の高いアドレス情報であると判断される。この場合、ステップＳ２１３にて接続処理がなされ、このアドレス情報を所有・管理等するサービス提供会社Ｃｓのサイトにインターネット等の通信網を介して接続する処理がなされる。これにより、広告４０の情報コード４１を読み取った端末使用者は、サービス提供会社Ｃｓによるサービスを受けるために、読取装置３０を用いて、当該サービス提供会社Ｃｓが管理するサイトに円滑に接続することができる。なお、ステップＳ２１３にて接続処理を実施する前に、上記認証情報に一致するアドレス情報を表示部３４に表示して、ステップＳ２１３の処理を実施するか否かを確認するようにしてもよい。
【００３３】
一方、デコード結果に含まれる認証情報が有効でないと判断される場合（認証情報がデコード結果に含まれない場合も含む）には、ステップＳ２１１にてＮｏと判定されて、ステップＳ２１５にて警告処理がなされる。この処理では、読み取った情報コード４１のアドレス情報が認証を受けておらず信頼性の低いアドレス情報であることが表示部３４に警告表示される。そして、信頼性の低いアドレス情報であることを認識した端末使用者により、このアドレス情報に対応するサイトへの接続中止のための操作が操作部３３に対してなされると（Ｓ２１７でＹｅｓ）、上記ステップＳ２１３における処理を実施することなく読取処理が終了する。一方、信頼性の低いアドレス情報であることを認識した端末使用者により、このアドレス情報に対応するサイトに接続するための操作が操作部３３に対してなされると（Ｓ２１７でＮｏ）、上記ステップＳ２１３における処理がなされることとなる。なお、ステップＳ２１５の警告処理を実行するための表示部３４は、特許請求の範囲に記載の「警告手段」の一例に相当し得る。
【００３４】
以上説明したように、本実施形態に係るコード提供システム１０では、コード生成装置２０により、アドレス情報を含む情報コード４１が、入力アドレス情報から想定される当該入力アドレス情報の所有者とこの情報コードの配布予定者とが一致すると判断される場合に、認証情報を付加するように生成される。そして、読取装置３０により読み取られた情報コード４１の認証情報が有効である場合に、この情報コード４１の所有者であるサービス提供会社Ｃｓのサイトにインターネット等の通信網を介して接続する処理が読取装置３０により実行される。
【００３５】
このように入力アドレス情報の所有者と配布予定者とが一致する場合のみ情報コード４１が生成されるので、入力アドレス情報の所有者と配布予定者との一致を主な目的とするセキュリティ性等が強化された情報コードの生成と比較して、情報コード自体に必要となる制約等が削減されるので、情報コード生成に関する自由度を高めることができる。そして、情報コード４１の認証情報が有効である場合には、そのアドレス情報により指定されるインターネット等の通信網上のサイトに接続する処理が実行されるので、通信網上の所定のデータベース等を参照することなく、情報コード４１の不正使用を防止することができる。
したがって、利便性を損なうことなく信頼性を高めた情報コード４１を提供することができる。
【００３６】
また、本実施形態に係るコード提供システム１０では、入力アドレス情報の所有者とこの情報コード４１の配布予定者とが一致すると判断されない場合には、コード生成装置２０によるアドレス情報を含む情報コードの生成が禁止される。これにより、例えばＡ社による配布が予定される広告４０に表示される情報コードを生成する場合、配布予定者であるＡ社が想定されないアドレス情報を含むように情報コード４１を生成することができないので、不正使用者が当該コード生成装置２０を用いて不正目的のアドレス情報が含まれる情報コード４１を生成することを防止できる。
【００３７】
さらに、本実施形態に係るコード提供システム１０では、読取装置３０にて読み取った情報コード４１の認証情報が有効でない場合には、読み取った情報コード４１のアドレス情報が認証を受けておらず信頼性の低いアドレス情報であることが表示部３４に表示されて警告される。これにより、端末使用者は、読み取った情報コードが信頼性の低いアドレス情報、すなわち、不正使用目的のアドレス情報を含むように生成された可能性が高いことを認識することができる。
【００３８】
なお、本発明は上記実施形態に限定されるものではなく、以下のように具体化してもよく、その場合でも、上記実施形態と同等の作用・効果が得られる。
（１）本実施形態に係る読取装置３０は、消費者が所有する撮像機能および通信機能を有する携帯電話等の携帯端末に上記読取処理を実行するためのプログラムが実行可能に記憶されて構成されているが、これに限らず、上記読取処理を実行可能な専用の読取装置として構成されて消費者に対して配布・貸与等されてもよい。
【００３９】
（２）ステップＳ２１３では、サービス提供会社Ｃｓのサイトにインターネット等の通信網を介して接続する処理がなされることに限らず、例えば、アドレス情報を表示部３４に表示する等、認証情報が一致するアドレス情報を用いた処理がなされてもよい。
【００４０】
（３）上記ステップＳ２１１にて、読み取った情報コード４１の認証情報が有効でないと判定される場合には、ステップＳ２１５における警告処理を実行した後、ステップＳ２１７における判定処理を実施することなく、当該読取処理を終了させてもよい。これにより、信頼性の低い（不正使用目的の可能性が高い）アドレス情報を用いた処理の実行が禁止されるので、情報コードの不正使用を確実に防止することができる。
【００４１】
（４）ステップＳ２１５における警告処理は、表示部３４による警告表示に限らず、例えば、ブザーの発生音やバイブレータの振動等により警告してもよい。
【００４２】
（５）コード管理会社Ｃｍは、コード生成装置２０をサービス提供会社Ｃｓに貸与することに限らず、サービス提供会社Ｃｓからのコード利用依頼に応じて当該コード生成装置２０を用いて情報コード４１を生成してもよい。
【００４３】
（６）コード生成装置２０のメモリ等には、複数の登録済アドレス情報および所有者情報が全て記憶されることに限らず、貸与先であるサービス提供会社Ｃｓに関するアドレス情報や配布予定者情報等が主に記憶されてもよい。
【符号の説明】
【００４４】
１０…コード提供システム
２０…コード生成装置
２１…制御部
３０…読取装置
３１…撮像部
３４…表示部（警告手段）
３５…制御部
４０…広告
４１…情報コード
Ｃｍ…コード管理会社
Ｃｓ…サービス提供会社
【図１】
0005381735.tif 000002
【図２】
0005381735.tif 000003
【図３】
0005381735.tif 000004